(57)【要約】      （修正有）【課題】社寺の境内や屋内に設置して使用できるのは勿論のこと、イベント会場、結婚式場、パーティ会場、学校、予備校、病院といった、日常生活の身近な場所に設置して、手軽に使用できる祈願システムを提供する。【解決手段】祈願システムは、達磨１と、達磨に張り付け可能な用紙（付箋紙）と、付箋紙はその裏面の全面又は一部に達磨に張り付け可能な接着部を備え、表面に少なくとも氏名記入部、祈願内容記入部を設けたものとしてある。達磨は祈祷、お祓い等（祈祷）をした達磨（祈祷済み達磨）であって、祈祷をした神社或いは仏閣の名称、印影等（祈祷所名）が表示されているものが望ましい。付箋紙の表面に予め希望する願い事の題目（タイトル）を表記しておき、それらタイトルのうち希望するタイトルを丸で囲むとかその他の方法で選択できるようにすることができる。【選択図】図１
0003182567.tif 000002
【実用新案登録請求の範囲】
【請求項１】
達磨と、達磨に張り付け可能な付箋紙を備え、前記付箋紙はその裏面の全面又は一部に達磨に張り付け可能な接着部を備え、表面に少なくとも氏名記入部、祈願内容記入部を備えたことを特徴とする祈願システム。
【請求項２】
請求項１記載の祈願システムにおいて、達磨が祈祷をした祈祷済み達磨であって、祈祷所名が表示されていることを特徴とする祈願システム。
【請求項３】
請求項１又は請求項２記載の祈願システムにおいて、付箋紙の表面に祈願項目が表記されて、それら祈願項目を選択できるようにしたことを特徴とする祈願システム。
【請求項４】
請求項１から請求項３記載の祈願システムにおいて、達磨が首振り可能であることを特徴とする祈願システム。
【考案の詳細な説明】
【技術分野】
【０００１】
本考案は、達磨を使用して、祈願したり、祝辞、希望、激励等の意思表示をしたりすることができるシステム（以下「祈願システム」という。）に関する。
【背景技術】
【０００２】
家内安全、商売繁盛、病気治癒、交通安全、学業成就、縁結び等の願い事をするには、従来は神社、仏閣等で祈願するのが一般的であり、結婚式場での祝辞、卒業時の旅立ちの夢や希望、パーティでの祝辞等は色紙へ寄せ書きしたり言葉で表現したりするのが一般的であり、選挙事務所へ陣中見舞いに出向いたときの激励や当選祈願等も言葉を交わすのが一般的であった。
【０００３】
従来、祈願実現のために、達磨を使用した祈願塔があった（特許文献１）が、それは、使用者本人が目に付き易い場所に常置しておいて、必要な自己管理を行うことができるようにしたものである。
【０００４】
また、従来は、願い事を繰返しお願いすることのできる達磨（特許文献２）もあったが、それは、願い事が叶わなかったときに、先に黒くした目をリセットして、繰返し使用できるようにしたものである。
【先行技術文献】
【特許文献】
【０００５】
【特許文献１】特開２００３−３３９５１７
【特許文献２】特開２００９−２１３６６２
【考案の概要】
【考案が解決しようとする課題】
【０００６】
前記した従来の祈願方法は、基本的に、祈願する人が神社、仏閣等に出向く必要があるため面倒であった。前記した色紙への記入は極めて一般的でありマンネリ化している。言葉による表現では時が経つと記憶が薄れてしまう。
【課題を解決するための手段】
【０００７】
本考案は社寺の境内や屋内に設置して使用できるのは勿論のこと、イベント会場、結婚式場、パーティ会場、学校、予備校、病院といった、日常生活の身近な場所に設置して、手軽に使用できる祈願システムを提供することにある。
【０００８】
本考案の祈願システムは、達磨と、達磨に張り付け可能な用紙（付箋紙）を備え、前記付箋紙はその裏面の全面又は一部に達磨に張り付け可能な接着部を備え、表面に少なくとも氏名記入部、祈願内容記入部を備えたものとしてある。前記達磨は祈祷、お祓い等（以下「祈祷」という。）をした達磨（祈祷済み達磨）であって、祈祷をした神社或いは仏閣の名称、印影等（祈祷所名）が表示されたものとすることもできる。前記付箋紙の表面に予め希望する願い事の題目（タイトル）を表記しておき、それらタイトルのうち希望するタイトルを丸で囲むとかその他の方法で選択できるようにしておくこともできる。達磨を首振り可能とすることもできる。
【考案の効果】
【０００９】
本考案の祈願システムは、達磨を学校、結婚式場、選挙事務所、病院といった身近な場所に設置しておき、その達磨の近くに付箋紙を置けば、付箋紙に氏名と願い事を記入して達磨に張ることができるので、日常生活の身近な場所で希望や願い事等の祈願ができる。達磨は日本国においては古くより縁起物とされているため、達磨に張り付けることにより祈願成就を期待することができ、達磨に、祈祷所名が表記しておけば、祈願成就の期待が更に高まる。
【図面の簡単な説明】
【００１０】
【図１】本考案の祈願システムの一例を示す説明図。
【図２】（ａ）は本考案の祈願システムにおける付箋紙の一例を示す正面図、（ｂ）は（ａ）の側面図。
【図３】本考案の祈願システムの達磨に付箋紙を貼り付けた状態の説明図。
【考案を実施するための形態】
【００１１】
本考案の祈願システムの一例を、図を参照して説明する。本考案の祈願システムは図１、図２（ａ）、（ｂ）に示すように達磨１と付箋紙２を備える。
【００１２】
達磨１は市販されている形状、構造の達磨であっても、他の形状、構造の達磨であってもよい。達磨は寺社で祈祷、お祓い等をしてあるもの（祈祷済みのもの）が望ましく、祈祷した寺社の名称や印影といった祈祷所名を表示しておくのが望ましい。一例としては、学問の神様といわれる寺社、病気治癒に霊験あらたかな効能があるとされている寺社、縁結びの寺社、商売繁盛の御利益がある寺社といった夫々の祈願分野に縁の深い寺社で祈祷し、その祈祷をした寺社名や印影等（祈祷所名）を表示しておくのがよい。表示箇所は特に限定されないが、例えば、達磨の正面（顔側の面）中央部や下部等に表示することができる。図１に示す例では、達磨１の正面下部に、達磨寺として有名な群馬県高崎市所在の「少林山達磨寺」と表記してある。達磨１の大きさは任意に選定できるが、１４号（高さ約４５ｃｍ）程度にすると多くの付箋紙２を貼り付けることができる。
【００１３】
市販の達磨１は表面が粗面になっている、着色剤（塗料）が塗布されている等の理由で、接着剤や粘着剤等が貼り付きにくい傾向にあるため、付箋紙２の裏面の貼り付け部３（図２（ｂ））の糊や粘着剤等が張り付き易くなるように表面を平滑にするとか、塗料を塗布しておかないようにする、といった表面処理しておくこともできる。
【００１４】
達磨１は机、テーブル等の台の上に設置しておくとか、別途用意した専用の台や支柱等（これらを纏めて「台」）という）４の上に取付けておく等することもできる。また、図３に示すように達磨１の下にコイルスプリング、板バネ、ゴムや樹脂の薄板等（可動材）５を取付けて首振りできるようにして、願い事や氏名を記入した付箋紙２を貼り付けてから、達磨１を撫でたり軽く叩いたりすると、達磨１が首を振って頷くような仕草をするようにしておくこともできる。このようにすると、祈願が受けつけられたような感じになる。
【００１５】
付箋紙２はそれを張り付ける人の願い事、祝辞等を記入するものであり、そのサイズは任意とすることができるが、１４号の達磨１に多数枚（１００枚程度）張り付けできるようにするためには、一例として縦７４mm×横幅５２mm程度が好ましい。付箋紙２には、予め、希望する祈願項目６を表記しておくこともできる（図２（ａ））。この場合、予め、二以上の希望する祈願項目６を表記しておいて、その中のいずれか一つ又は二以上の希望する祈願項目６を丸で囲うなどして、希望する祈願項目を選択できるようにしておくこともできる。
【００１６】
付箋紙２には少なくとも、氏名を記入できるスペース（氏名記入部）７、願い事の内容を記入できるスペース（祈願事項記入部）８を設けておくのがよい。必要であれば、これら以外の記入欄を設けることもできる。付箋紙２の裏面に設ける貼り付け部３は特に限定されないが、少なくとも、付箋紙２の裏面の上縁寄りの部分にだけ設けると、張り付け易く、多数枚を重ねて張りしても下の付箋紙２が完全に閉塞されることがない。
【００１７】
付箋紙２は、多数枚重ねて、裏面の貼り付け部３に付加してある粘着剤で粘着しておいて、使用時に一枚ずつ剥離して使用できるようにしておくと、使い易く、不用意にバラバラにならず、散乱することがなく、便利である。付箋紙２は台の引き出しの中とか、箱の中に入れておいて、雨に濡れず、塵芥が付着しにくいようにしておくのがよい。筆記具を用意しておくこともできる。
【００１８】
(使用例)
図２に示す付箋紙２を使用する場合は、それに表示してある祈願項目６に丸を付して希望する祈願項目６を選択し、祈願内容、祈願者の氏名（氏又は名のみでも可）、愛称等を記入し、その付箋紙２を達磨１に貼り付ける。貼り付け箇所は特に限定せず、好きな箇所に張り付けることができる。また、先に貼った付箋紙２の上に重ねて張ることもできる。
【産業上の利用可能性】
【００１９】
本考案の祈願システムは、前記した以外の分野、例えば、各種の祝い事、節目の場面で使用することができる。
【符号の説明】
【００２０】
１  達磨
２  付箋紙
３  貼り付け部
４  台
５  可動材
６  祈願項目
７  氏名記入部
８  祈願事項記入部
0003182567.tif 000003
【手続補正書】
【提出日】平成25年1月30日(2013.1.30)
【手続補正１】
【補正対象書類名】明細書
【補正対象項目名】全文
【補正方法】変更
【補正の内容】
【考案の詳細な説明】
【技術分野】
【０００１】
本考案は、達磨を使用して、祈願したり、祝辞、希望、激励等の意思表示をしたりすることができるシステム（以下「祈願システム」という。）に関する。
【背景技術】
【０００２】
家内安全、商売繁盛、病気治癒、交通安全、学業成就、縁結び等の願い事をするには、従来は神社、仏閣等で祈願するのが一般的であり、結婚式場での祝辞、卒業時の旅立ちの夢や希望、パーティでの祝辞等は色紙へ寄せ書きしたり言葉で表現したりするのが一般的であり、選挙事務所へ陣中見舞いに出向いたときの激励や当選祈願等も言葉を交わすのが一般的であった。
【０００３】
従来、祈願実現のために、達磨を使用した祈願塔があった（特許文献１）が、それは、使用者本人が目に付き易い場所に常置しておいて、必要な自己管理を行うことができるようにしたものである。
【０００４】
また、従来は、願い事を繰返しお願いすることのできる達磨（特許文献２）もあったが、それは、願い事が叶わなかったときに、先に黒くした目をリセットして、繰返し使用できるようにしたものである。
【先行技術文献】
【特許文献】
【０００５】
【特許文献１】特開２００３−３３９５１７
【特許文献２】特開２００９−２１３６６２
【考案の概要】
【考案が解決しようとする課題】
【０００６】
前記した従来の祈願方法は、基本的に、祈願する人が神社、仏閣等に出向く必要があるため面倒であった。前記した色紙への記入は極めて一般的でありマンネリ化している。言葉による表現では時が経つと記憶が薄れてしまう。
【課題を解決するための手段】
【０００７】
本考案は社寺の境内や屋内に設置して使用できるのは勿論のこと、イベント会場、結婚式場、パーティ会場、学校、予備校、病院といった、日常生活の身近な場所に設置して、手軽に使用できる祈願システムを提供することにある。
【０００８】
本考案の祈願システムは、達磨と、達磨に張り付け可能な用紙（付箋紙）を備え、前記付箋紙はその裏面の全面又は一部に達磨に張り付け可能な接着部を備え、表面に少なくとも氏名記入部、祈願内容記入部を備えたものとしてある。前記達磨は祈祷、お祓い等（以下「祈祷」という。）をした達磨（祈祷済み達磨）であって、祈祷をした神社或いは仏閣の名称、印影等（祈祷所名）が表示されたものとすることもできる。前記付箋紙の表面に予め希望する願い事の題目（タイトル）を表記しておき、それらタイトルのうち希望するタイトルを丸で囲むとかその他の方法で選択できるようにしておくこともできる。達磨を首振り可能とすることもできる。
【考案の効果】
【０００９】
本考案の祈願システムは、達磨を学校、結婚式場、選挙事務所、病院といった身近な場所に設置しておき、その達磨の近くに付箋紙を置けば、付箋紙に氏名と願い事を記入して達磨に張ることができるので、日常生活の身近な場所で希望や願い事等の祈願ができる。達磨は日本国においては古くより縁起物とされているため、達磨に張り付けることにより祈願成就を期待することができ、達磨に、祈祷所名が表記しておけば、祈願成就の期待が更に高まる。
【図面の簡単な説明】
【００１０】
【図１】本考案の祈願システムの一例を示す説明図。
【図２】（ａ）は本考案の祈願システムにおける付箋紙の一例を示す正面図、（ｂ）は（ａ）の側面図。
【図３】本考案の祈願システムの達磨に付箋紙を貼り付けた状態の説明図。
【考案を実施するための形態】
【００１１】
本考案の祈願システムの一例を、図を参照して説明する。本考案の祈願システムは図１、図２（ａ）、（ｂ）に示すように達磨１と付箋紙２を備える。
【００１２】
達磨１は市販されている形状、構造の達磨であっても、他の形状、構造の達磨であってもよい。達磨は寺社で祈祷、お祓い等をしてあるもの（祈祷済みのもの）が望ましく、祈祷した寺社の名称や印影といった祈祷所名を表示しておくのが望ましい。一例としては、学問の神様といわれる寺社、病気治癒に霊験あらたかな効能があるとされている寺社、縁結びの寺社、商売繁盛の御利益がある寺社といった夫々の祈願分野に縁の深い寺社で祈祷し、その祈祷をした寺社名や印影等（祈祷所名）を表示しておくのがよい。表示箇所は特に限定されないが、例えば、達磨の正面（顔側の面）中央部や下部等に表示することができる。達磨１の大きさは任意に選定できるが、１４号（高さ約４５ｃｍ）程度にすると多くの付箋紙２を貼り付けることができる。
【００１３】
市販の達磨１は表面が粗面になっている、着色剤（塗料）が塗布されている等の理由で、接着剤や粘着剤等が貼り付きにくい傾向にあるため、付箋紙２の裏面の貼り付け部３（図２（ｂ））の糊や粘着剤等が張り付き易くなるように表面を平滑にするとか、塗料を塗布しておかないようにする、といった表面処理しておくこともできる。
【００１４】
達磨１は机、テーブル等の台の上に設置しておくとか、別途用意した専用の台や支柱等（これらを纏めて「台」）という）４の上に取付けておく等することもできる。また、図３に示すように達磨１の下にコイルスプリング、板バネ、ゴムや樹脂の薄板等（可動材）５を取付けて首振りできるようにして、願い事や氏名を記入した付箋紙２を貼り付けてから、達磨１を撫でたり軽く叩いたりすると、達磨１が首を振って頷くような仕草をするようにしておくこともできる。このようにすると、祈願が受けつけられたような感じになる。
【００１５】
付箋紙２はそれを張り付ける人の願い事、祝辞等を記入するものであり、そのサイズは任意とすることができるが、１４号の達磨１に多数枚（１００枚程度）張り付けできるようにするためには、一例として縦７４mm×横幅５２mm程度が好ましい。付箋紙２には、予め、希望する祈願項目６を表記しておくこともできる（図２（ａ））。この場合、予め、二以上の希望する祈願項目６を表記しておいて、その中のいずれか一つ又は二以上の希望する祈願項目６を丸で囲うなどして、希望する祈願項目を選択できるようにしておくこともできる。
【００１６】
付箋紙２には少なくとも、氏名を記入できるスペース（氏名記入部）７、願い事の内容を記入できるスペース（祈願事項記入部）８を設けておくのがよい。必要であれば、これら以外の記入欄を設けることもできる。付箋紙２の裏面に設ける貼り付け部３は特に限定されないが、少なくとも、付箋紙２の裏面の上縁寄りの部分にだけ設けると、張り付け易く、多数枚を重ねて張りしても下の付箋紙２が完全に閉塞されることがない。
【００１７】
付箋紙２は、多数枚重ねて、裏面の貼り付け部３に付加してある粘着剤で粘着しておいて、使用時に一枚ずつ剥離して使用できるようにしておくと、使い易く、不用意にバラバラにならず、散乱することがなく、便利である。付箋紙２は台の引き出しの中とか、箱の中に入れておいて、雨に濡れず、塵芥が付着しにくいようにしておくのがよい。筆記具を用意しておくこともできる。
【００１８】
(使用例)
図２に示す付箋紙２を使用する場合は、それに表示してある祈願項目６に丸を付して希望する祈願項目６を選択し、祈願内容、祈願者の氏名（氏又は名のみでも可）、愛称等を記入し、その付箋紙２を達磨１に貼り付ける。貼り付け箇所は特に限定せず、好きな箇所に張り付けることができる。また、先に貼った付箋紙２の上に重ねて張ることもできる。
【産業上の利用可能性】
【００１９】
本考案の祈願システムは、前記した以外の分野、例えば、各種の祝い事、節目の場面で使用することができる。
【符号の説明】
【００２０】
１  達磨
２  付箋紙
３  貼り付け部
４  台
５  可動材
６  祈願項目
７  氏名記入部
８  祈願事項記入部
【手続補正２】
【補正対象書類名】実用新案登録請求の範囲
【補正対象項目名】全文
【補正方法】変更
【補正の内容】
【実用新案登録請求の範囲】
【請求項１】
達磨と、達磨に張り付け可能な付箋紙を備え、前記付箋紙はその裏面の全面又は一部に達磨に張り付け可能な接着部を備え、表面に少なくとも氏名記入部、祈願内容記入部を備えたことを特徴とする祈願システム。
【請求項２】
請求項１記載の祈願システムにおいて、達磨が祈祷をした祈祷済み達磨であって、祈祷所名が表示されていることを特徴とする祈願システム。
【請求項３】
請求項１又は請求項２記載の祈願システムにおいて、付箋紙の表面に祈願項目が表記されて、それら祈願項目を選択できるようにしたことを特徴とする祈願システム。
【請求項４】
請求項１から請求項３のいずれか１項に記載の祈願システムにおいて、達磨が首振り可能であることを特徴とする祈願システム。
【手続補正３】
【補正対象書類名】図面
【補正対象項目名】全図
【補正方法】変更
【補正の内容】
【図１】
0003182567.tif 000004
【図２】
0003182567.tif 000005
【図３】
0003182567.tif 000006